(57)【要約】      （修正有）【課題】着水音を低減することができるドレンパンを備えた空気調和装置の室内機を提供する。【解決手段】室内熱交換器が設置されるとともに室内熱交換器から滴下するドレン水を受ける流水路５が形成されたベース部と、ベース部の流水路５から導かれた水を受けるドレンパンを備えている空気調和装置の室内機であって、ドレンパンは、流水路５の樋５ａから滴下する水が落下する位置に、突起部１０を備えている。突起部１０は、上下方向に延在する鉛直部１０ａと、側方に延在する肩部１０ｂとを備えている。【選択図】図４
2018173213.tif 000002
【特許請求の範囲】
【請求項１】
熱交換器が設置されるとともに該熱交換器から滴下する水を受ける流水路が形成されたベース部と、
該ベース部の前記流水路から導かれた水を受けるドレンパンと、
を備えている空気調和装置の室内機であって、
前記ドレンパンは、前記流水路から滴下する水が落下する位置に、突起部を備えていることを特徴とする空気調和装置の室内機。
【請求項２】
前記突起部は、前記ドレンパンの側壁部から突出するように設けられ、該側壁部に沿う横方向に位置する肩部を備えていることを特徴とする請求項１に記載の空気調和装置の室内機。
【請求項３】
前記肩部は、先端が上方を向いていることを特徴とする請求項２に記載の空気調和装置の室内機。
【請求項４】
前記突起部は、該突起部を正面視した場合に、略十字形状とされていることを特徴とする請求項２又は３に記載の空気調和装置の室内機。
【発明の詳細な説明】
【技術分野】
【０００１】
本発明は、ドレン水を排出するドレンパンを備えた空気調和装置の室内機に関するものである。
【背景技術】
【０００２】
空気調和装置の室内機には、冷房時等に熱交換器にて凝縮したドレン水を集めて外部に排出するためのドレンパンが設けられている。下記特許文献１には、ドレンパンを備えた室内機において、軟質ガイド部材によってドレン水を導き、軟質ガイド部材の下流側に接触する伝熱管を介してドレン水をドレンパンへ滴下することが開示されている。
【先行技術文献】
【特許文献】
【０００３】
【特許文献１】特開平１１−２１１１３４号公報
【発明の概要】
【発明が解決しようとする課題】
【０００４】
しかし、ドレン水がドレンパン内に滴下すると、ドレンパンに貯留された水面に水滴が直接着水することによって着水音が発生する。着水音はユーザに対して不快感を引き起こすおそれがあるので、低減することが好ましい。
【０００５】
本発明は、このような事情に鑑みてなされたものであって、着水音を低減することができるドレンパンを備えた空気調和装置の室内機を提供することを目的とする。
【課題を解決するための手段】
【０００６】
上記課題を解決するために、本発明の空気調和装置の室内機は以下の手段を採用する。
すなわち、本発明にかかる空気調和装置の室内機は、熱交換器が設置されるとともに該熱交換器から滴下する水を受ける流水路が形成されたベース部と、該ベース部の前記流水路から導かれた水を受けるドレンパンと、を備えている空気調和装置の室内機であって、前記ドレンパンは、前記流水路から滴下する水が落下する位置に、突起部を備えていることを特徴とする。
【０００７】
熱交換器で凝縮した水は流水路へと導かれドレンパンへと流れ込む。ドレンパンは、流水路から水が滴下する位置に、突起部を備えている。これにより、滴下する水は突起部に衝突した後にドレンパンへと流れ込むことになり、ドレンパンに貯留された水面に直接水が滴下することがない。したがって、水滴が水面に着水する時の着水音を低減することができる。
【０００８】
さらに、本発明の空気調和装置の室内機では、前記突起部は、前記ドレンパンの側壁部から突出するように設けられ、該側壁部に沿う横方向に位置する肩部を備えていることを特徴とする。
【０００９】
突起部をドレンパンの側壁部に設けることで、水が流水路から滴下する位置の近傍に突起部を設置することができる。そして、突起部に、側壁部に沿う横方向に延在する肩部を設けることで、流水路から滴下する位置が横方向にずれた場合であっても肩部で液滴に接触することができ、確実に着水音を低減することができる。
【００１０】
さらに、本発明の空気調和装置の室内機では、前記肩部は、先端が上方を向いていることを特徴とする。
【００１１】
肩部の先端が上方を向くようにしたので、肩部の先端に液滴が付着した場合であっても下方へ液滴を流すことができ、水の滞留を回避することができる。
【００１２】
さらに、本発明の空気調和装置の室内機では、前記突起部は、該突起部を正面視した場合に、略十字形状とされていることを特徴とする。
【００１３】
突起部を正面視した場合に略十字形状となるように突起部を構成することで、十字形状のうちの上下方向に延在する部分の上端で主として水滴に接触するようにし、水が滴下する位置がずれた場合であっても十字形状のうちの横方向に延在する肩部のどこかで水滴に接触することができる。このように、簡便な突起形状で確実に着水音を低減することができる。
なお、十字形状に代えて、逆Ｖ字形状や、逆Ｕ字形状、又は、上下方向に延在する部分を横方向に複数並べた櫛歯形状としても良い。
【発明の効果】
【００１４】
滴下する水は突起部に衝突した後にドレンパンへと流れ込むことになので、着水音を低減することができる。
【図面の簡単な説明】
【００１５】
【図１】本発明の一実施形態に係る室内機を示した斜視図である。
【図２】図１の室内機の内部を示した斜視図である。
【図３】室内機の排水経路の一部を示した斜視図である。
【図４】室内機の排水経路の一部を拡大して示した部分拡大図である。
【図５】図４の突起部を示した斜視図である。
【図６】図５のVI方向から見た正面図である。
【図７】図４の突起部を示した側面図である。
【図８】図７をVIII方向から見た正面図である。
【図９】突起部の変形例を示した正面図である。
【発明を実施するための形態】
【００１６】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１７】
図２には、室内機１の内部が示されている。同図では、室内熱交換器やファンが取り外された状態が示されている。室内の壁部に設置されるベースプレート３には、室内熱交換器にて凝縮したドレン水が導かれる流水路５が形成されている。流水路５は、ベースプレート３の左右方向（水平方向）に延在する溝部とされている。流水路５の上方には、室内熱交換器の下面を支持する設置面６が設けられている。流水路５は、左方が下方に傾斜しており、これにより矢印Ａ１で示すようにドレン水が左方へと導かれるようになっている。なお、流水路５の傾斜方向はもちろん右方としても良い。
【００１８】
流水路５は，室内機１の左端において略直角に折り曲げられ下方へ向かうように形成されている。この流水路５の下端から流下するドレン水を受けるように、ベースプレート３の下方にドレンパン７が設けられている。ドレンパン７は、ドレン水を一時的に貯留して室内機１の外部へ排出する。
【００１９】
図３には、流水路５からドレンパン７へドレン水が流れる領域の部分拡大図が示されている。流水路５の下端には、ドレンパン７へドレン水を導く樋５ａが設けられている。樋５ａの先端（下端）からドレン水が下方へと滴下される。樋５ａの下方でかつドレンパン７の側壁部７ａには、突起部１０が設けられている。突起部１０の下方には、室内機１の外部へドレン水を排出する排水口７ｂが形成されている。なお、図３において符号１２は、空気を送風するためのファンである。
【００２０】
図４に示すように、突起部１０は、ドレンパン７の側壁部７ａから突出するように設けられている。突起部１０は、鉛直方向に延在する鉛直部１０ａと、鉛直部１０ａの両側に交差するように横方向に延在する肩部１０ｂとを備えている。鉛直部１０ａの上端は、樋５ａの直下に位置するように配置されている。これにより、樋５ａから滴下するドレン水を直接受止めるようになっている。
【００２１】
図５から分かるように、肩部１０ｂは、ドレンパン７の側壁部７ａから斜め上方向に向かって立設している。このように斜め上方に向かうように肩部１０ｂを設けることとしたので、ドレン水を円滑に下方に流すことができるようになっている。
【００２２】
図６に示すように、突起部１０は、肩部１０ｂが立設する方向（矢印VI方向）から正面視すると、略十字形状となっている。すなわち、鉛直部１０ａに対して肩部１０ｂが直交して交差するように設けられている。
【００２３】
図７に示すように、突起部１０を側面視すると、鉛直部１０ａは略水平方向に延在する上辺１０ａ１を有しており、この上辺１０ａ１に接続されて斜め下方へ向かい側壁部７ａに接続する斜辺１０ａ２を有している。肩部１０ｂは、斜辺１０ａ２に対して平行な方向に向かって延在している。
【００２４】
図８には、図７の矢印VIIIに示すように肩部１０ｂの下面を正面視すると、肩部１０ｂの上端１０ｂ１が鉛直部１０ａから遠ざかるにつれて高さが漸次低くなるように形成されている。
【００２５】
上述の突起部１０を備えた室内機１によれば、以下の作用効果を奏する。
室内熱交換器で凝縮したドレン水は流水路５へと導かれ樋５ａからドレンパン７へと流れ込む。ドレンパン７の側壁部７ａには、流水路５からドレン水が滴下する位置に突起部１０を備えている。より具体的には、樋５ａの直下に鉛直部１０ａの上辺１０ａ１が位置されている。これにより、滴下するドレン水は突起部１０に衝突した後にドレンパン７へと流れ込むことになり、ドレンパン７に貯留された水面に水が直接着水することがない。したがって、水滴が水面に着水する時の着水音を低減することができる。
【００２６】
突起部１０をドレンパン７の側壁部７ａに設けることで、流水路５の樋５ａの近傍に突起部１０を位置させることができる。そして、突起部１０に、側壁部７ａに沿う横方向に延在する肩部１０ｂを設けることで、樋５ａからドレン水が滴下する位置が横方向にずれた場合であっても肩部１０ｂで液滴に接触することができ、確実に着水音を低減することができる。
【００２７】
突起部１０の肩部１０ｂの突出方向（図５の矢印VI方向）から正面視した場合に略十字形状となるように突起部１０を構成することで、十字形状のうちの鉛直方向に延在する鉛直部１０ａの上辺１０ａ１で主として水滴に接触するようにし、水が滴下する位置がずれた場合であっても十字形状のうちの横方向に延在する肩部１０ｂのどこかで水滴に接触することができる。このように、簡便な突起形状で確実に着水音を低減することができる。
【００２８】
肩部１０ｂの上端１０ｂ１が斜め上方を向くように肩部１０ｂを形成したので、肩部１０ｂの上端１０ｂ１に液滴が付着した場合であっても下方へ液滴を流すことができ、水の滞留を回避することができる。
【００２９】
なお、上述の突起部１０は正面視した場合に略十字形状とされているが、以下のように変形することができる。
例えば、図９（ａ）に示すように、正面視した場合に突起部１０’を逆Ｖ字形状にしてもよい。この場合には、上部先端１０’ａで主として液滴を受けるようにして、側方に延在する肩部１０’ｂでドレン水の滴下が側方にずれた場合に液滴を受けるようにする。
【００３０】
また、図９（ｂ）に示すように、正面視した場合に突起部１０”を鉛直方向に延在する鉛直部１０”ａ，１０”ｂを横方向に複数並べた櫛歯形状としても良い。この場合には、中央に位置する鉛直部１０”ａで主として液滴を受けるようにして、側方に位置する鉛直部（肩部）１０”ｂでドレン水の滴下が側方にずれた場合に液滴を受けるようにする。
【符号の説明】
【００３１】
１  室内機
３  ベースプレート（ベース部）
５  流水路
５ａ  樋
６  設置面
７  ドレンパン
７ａ  側壁部
７ｂ  排水口
１０  突起部
１０ａ  鉛直部
１０ａ１  上辺
１０ａ２  斜辺
１０ｂ  肩部
１０ｂ１  上端
１２  ファン
【図１】
2018173213.tif 000003
【図２】
2018173213.tif 000004
【図３】
2018173213.tif 000005
【図４】
2018173213.tif 000006
【図５】
2018173213.tif 000007
【図６】
2018173213.tif 000008
【図７】
2018173213.tif 000009
【図８】
2018173213.tif 000010
【図９】
2018173213.tif 000011